(57)【要約】      （修正有）【課題】布団カバーのコーナーすべてに手が届きやすい開閉部を１個のファスナで設ける。【解決手段】表生地１１と裏生地１２からなり、４隅１３，１４，１５，１６を有するほぼ長方形の布団カバーである。前記長方形の４辺１７，１８，１９，２０は閉じられている。前記表生地１１と前記裏生地１２の少なくとも一方の生地の表面に湾曲した開閉部を設け、この開閉部をファスナで開閉自在としている。開放部分から前記４隅までの直線最短距離Ｘが一番遠いところであっても約７０ｃｍ以下となるように前記湾曲形状が設定されている。【選択図】図１
2016030047.tif 000002
【特許請求の範囲】
【請求項１】
表生地（１１）と裏生地（１２）からなり、４隅（１３，１４，１５，１６）を有するほぼ長方形の布団カバー（１）であって、
前記長方形の４辺（１７，１８，１９，２０）は閉じられており、
前記表生地（１１）と前記裏生地（１２）の少なくとも一方の生地の表面に湾曲した開閉部を設け、この開閉部をファスナ（３）で開閉自在としており、さらに
前記開閉部から前記４隅（１３，１４，１５，１６）までの直線最短距離（Ｘ，Ｘ１，Ｘ２）が一番遠いところであっても７０ｃｍ以下となるように前記湾曲形状を設定されていること
を特徴とする布団カバー。
【請求項２】
前記湾曲形状が「Ｓ」字、放物線状、「Ｕ」字状のいずれかである請求項１記載の布団カバー。
【請求項３】
前記ファスナ（３）がスライドファスナである請求項１又は２記載の布団カバー。
【請求項４】
前記スライドファスナ（３）の務歯（３６）を支持する周辺テープ（３７）が幅方向に小さな切れ目を複数個有するものである求項３記載の布団カバー。
【発明の詳細な説明】
【技術分野】
【０００１】
本発明は、掛け布団や敷き布団などの布団を内部に収容する袋状の布団カバーに関する。
【背景技術】
【０００２】
掛け布団や敷き布団などの布団には、布団の外装地が汚れたり、損傷したりするのを防ぐために布団カバーをかぶせるのが普通である。布団を布団カバーに収容するため、布団カバーは、布団の形状に対応する長方形の表裏２枚の布地の三辺を縫製して閉じるとともに、残りの一辺を開口させ、この開口辺をファスナによって開閉可能としている。そして、この開閉可能な一辺から布団を内部に押し込んだ後、ファスナを閉じて使用に供している。
【０００３】
一度でも体験した人なら分かるが、布団カバーの一辺から布団を中に入れて、布団カバーの４隅まで均等に押し込むにはコツが必要で意外に難しく、厚手の布団では体力も使う作業である。高齢者の独り暮らしが増えているような現代では、この作業を一人でするのは大変である。
【０００４】
この問題を解決するため、例えば特開２００７―２２９４２９では、ファスナによる開閉部を「コ」の字型、「く」の字型、又は「Ｌ」字型に設定することにより、布団カバーを大きく開くことができるようにしている。特開２００７―３３０７２０では、開閉部を布団カバー中央部に設け、観音開きにできるようにしている。
【先行技術文献】
【特許文献】
【０００５】
【特許文献１】特開２００７―２２９４２９
【特許文献２】特開２００７―３３０７２０
【発明の概要】
【発明が解決しようとする課題】
【０００６】
上記特開２００７―２２９４２９では、一見、布団カバーを大きく開くことができそうに見えるが、特に「く」の字型及び「Ｌ」字型の場合、手の届きにくいコーナーが残ってしまう。また、「コ」の字型も含め、すべてファスナを２個以上使用する。
【０００７】
特開２００７―３３０７２０でも、手の届きにくいコーナーが残っている。
【０００８】
本発明は、４隅すべてにおいて手が届きやすい開閉部を１個のファスナで設けることを目的とする。
【課題を解決するための手段】
【０００９】
本発明は、表生地１１と裏生地１２からなり、４隅１３，１４，１５，１６を有するほぼ長方形の布団カバーであって、前記長方形の４辺１７，１８，１９，２０は閉じられており、前記表生地１１と前記裏生地１２の少なくとも一方の生地の表面に湾曲した開閉部を設け、この開閉部をファスナで開閉自在としており、さらに開放部分から前記４隅までの直線最短距離Ｘが一番遠いところであっても約７０ｃｍ以下となるように前記湾曲形状が設定されていることを特徴とする（請求項１）。この距離は、より好ましくは、約５５ｃｍ以下、最も好ましくは約４０ｃｍ以下である。
【００１０】
好ましくは、前記湾曲形状が「Ｓ」字、放物線状、「Ｕ」字状のいずれかである（請求項２）。
【００１１】
好ましくは、前記ファスナ３はスライドファスナである（請求項３）が、その他、テープ状の面ファスナ、複数小片に分かれた面ファスナ、複数のスナップボタン、などであってもよい。
【００１２】
好ましくは、前記スライドファスナ３の務歯３６を支持する周辺テープ３７は幅方向に小さな切れ目を複数個有するものである（請求項４）。
【発明の効果】
【００１３】
請求項１の発明によれば、前記表生地１１と前記裏生地１２の少なくとも一方の生地の表面に湾曲した開閉部を設け、この開閉部をファスナで開閉自在としている。さらに開放部分から前記４隅までの直線最短距離Ｘが一番遠いところであっても約７０ｃｍ以下となるように前記湾曲形状が設定されているので、開放部分から布団をコーナーに押し込むのは極めて容易である。
【００１４】
請求項２の発明によれば、「Ｓ」字、放物線状、「Ｕ」字状の湾曲形状は、前記直線最短距離Ｘを約７０ｃｍ以下としやすい。
【００１５】
請求項３の発明によれば、ファスナとして湾曲したスライドファスナを使用すれば、１個のファスナで開閉部を形成することができる。
【００１６】
請求項４の発明によれば、スライドファスナ３を湾曲させやすくなる。
【００１７】
また、上記の技術的な効果以外に、布団カバーの湾曲した開閉部は奇抜なデザインとなり、需要喚起に貢献することができる。
【００１８】
以下、添付の図面に基づき、本発明の実施例を説明する。
【図面の簡単な説明】
【００１９】
【図１】第１実施例に係る（ａ）布団カバーの正面図、（ｂ）同側面図である。
【図２】同布団カバーのファスナを開いている状態を示す斜視図である。
【図３】図１のＡ−Ａ拡大図である。
【図４】図３のＢ−Ｂ断面図である。
【図５】第２実施例に係る布団カバーの正面図である。
【図６】第３実施例に係る布団カバーの正面図である。
【実施例１】
【００２０】
図１に示すように、布団カバー１は、表生地１１と裏生地１２からなり、第１〜第４コーナー１３，１４，１５，１６の４隅を有する長方形である。長方形の４辺１７，１８，１９，２０は縫製されて閉じられている。
【００２１】
この布団カバー１の表生地１１と裏生地１２のどちらかの表面にスライドファスナテープ３がＳ字状に設けられている。図示の例では表生地１１側に設けているが、表生地にメッシュ地が使用されている場合等は裏生地１２側に設ける。当然のことながら、そのＳ字形状に布団カバーの生地１１は予め切断されている。
【００２２】
スライドファスナテープ３の始端３１及び終端３２は、対角線上に向かい合う第２コーナー１４付近と第３コーナー１５付近である。図３、図４は、スライドファスナテープの始端３１処理の１例を示すものである。スライダーの進入を止めるために、山形に盛り上がったストッパー３３が設けられている。
【００２３】
スライドファスナテープ３は、引手３４を有するスライダー３５と、布団カバー生地１１の開閉を行う務歯３６部分と、その周辺テープ３７からなる。布団カバー１に対しては、周辺テープ３７部分が糸で縫い合わされて固定されている。
【００２４】
このスライドファスナテープ１はそれ自体公知のものであるが、Ｓ字状に大きく湾曲させる必要があるので、湾曲しても動作に支障が出ないように、務歯３６は小さいものが好ましい。また、周辺テープ３７部分は幅方向に小さな切れ目を複数個入れて、湾曲しやすいようにしておくことが好ましい。
【００２５】
この布団カバー１のスライドファスナテープ３を開放するには、図２に示すように、Ｓ字形状に沿ってスライダー３５を滑らせるだけでよい。この状態では、布団カバー１の４隅のすべてに手が届くので、布団（図示せず）を押し込むのは極めて容易である。
【００２６】
「Ｓ」字といっても曲線のカーブの程度には様々なものがありうるが、本発明にとって必要なのは、開放部分から各コーナーまでの直線最短距離Ｘがどんなに遠いところであっても平均的な大人の腕の長さ以下となるように湾曲線を設定することである。
【００２７】
平均的な大人の腕の長さは、ある統計によると次のとおりである。平均すれば、男性で約７２．７ｃｍ、女性で約６６．９ｃｍである。
【表１】
2016030047.tif 000003
【００２８】
したがって、本発明にとって必要なのは、開放部分から４隅までの直線最短距離Ｘが一番遠いところであっても約７０ｃｍ以下となるように湾曲線を設定することである。この距離は、より好ましくは、約５５ｃｍ以下、最も好ましくは約４０ｃｍ以下である。
【実施例２】
【００２９】
図５は第２実施例である。スライドファスナテープの湾曲形状が放物線状である。開放部分から４隅までの直線最短距離Ｘ１が一番遠いところであっても約７０ｃｍ以下である。
【実施例３】
【００３０】
図６は第３実施例である。スライドファスナテープの湾曲形状がＵ字状である。開放部分から４隅までの直線最短距離Ｘ２が一番遠いところであっても約７０ｃｍ以下である。
【符号の説明】
【００３１】
１     布団カバー
１１   表生地
１２   裏生地
１３，１４，１５，１６      コーナー
１７，１８，１９，２０      ４辺
３     スライドファスナテープ
３１   始端
３２   終端
３３   ストッパー
３４   引手
３５   スライダー
３６   務歯
３７   周辺テープ
Ｘ，Ｘ１，Ｘ２  直線最短距離
【図１】
2016030047.tif 000004
【図２】
2016030047.tif 000005
【図３】
2016030047.tif 000006
【図４】
2016030047.tif 000007
【図５】
2016030047.tif 000008
【図６】
2016030047.tif 000009